(57)【要約】【課題】広角で、波長４００ｎｍ（ナノメートル）付近の短波長域から可視域まで色収差が良好に補正され、レンズ外径の小型化が図られ、高性能を有する内視鏡用対物光学系、及びこの内視鏡用対物光学系を備えた内視鏡を提供する。【解決手段】内視鏡用対物光学系は、物体側から順に、負の前群ＧＡ、開口絞りＳｔ、正の後群ＧＢからなる。前群ＧＡは、物体側から順に、負の第１レンズＬ１、及び、負の第２レンズＬ２と正の第３レンズＬ３とが接合された接合レンズのみをレンズとして備える。後群ＧＢは、物体側から順に、正の第４レンズＬ４、及び、正の第５レンズＬ５と負の第６レンズＬ６とが接合された接合レンズのみをレンズとして備える。所定の条件式を満足する。【選択図】図１
2019109356.tif 000002
【特許請求の範囲】
【請求項１】
物体側から像側へ向かって順に、負の屈折力を有する前群と、開口絞りと、正の屈折力を有する後群とからなり、
前記前群は、物体側から像側へ向かって順に、負の屈折力を有する第１レンズと、負の屈折力を有する第２レンズと、正の屈折力を有する第３レンズとからなる３枚のレンズのみをレンズとして備え、
前記後群は、物体側から像側へ向かって順に、正の屈折力を有する第４レンズと、正の屈折力を有する第５レンズと、負の屈折力を有する第６レンズとからなる３枚のレンズのみをレンズとして備え、
前記第２レンズと前記第３レンズとは互いに接合されており、
前記第５レンズと前記第６レンズとは互いに接合されており、
前記第２レンズと前記第３レンズの合成焦点距離をｆ２３、
前記前群の焦点距離をｆＡ、
前記第３レンズの像側のレンズ面から前記第４レンズの物体側のレンズ面までの光軸上の空気換算距離をｄ３４、
全系の焦点距離をｆ、
前記第１レンズの像側のレンズ面の曲率半径をＲ２、
前記第１レンズの物体側のレンズ面の曲率半径をＲ１とした場合、
−１．７＜｜ｆ２３｜／ｆＡ    （１）
０．４＜ｄ３４／ｆ＜２    （２）
０．８＜（１＋Ｒ２／Ｒ１）／（１−Ｒ２／Ｒ１）＜１．６    （３）
で表される条件式（１）、（２）、及び（３）を満足する内視鏡用対物光学系。
【請求項２】
前記第１レンズの物体側のレンズ面が平面である請求項１に記載の内視鏡用対物光学系。
【請求項３】
前記第１レンズの焦点距離をｆ１とした場合、
ｆ１／ｆＡ＜０．８    （４）
で表される条件式（４）を満足する請求項１又は２に記載の内視鏡用対物光学系。
【請求項４】
前記第２レンズのｄ線基準のアッベ数をν２、
前記第３レンズのｄ線基準のアッベ数をν３とした場合、
｜ν２−ν３｜＜１５    （５）
で表される条件式（５）を満足する請求項１から３のいずれか１項に記載の内視鏡用対物光学系。
【請求項５】
前記第５レンズのｄ線基準のアッベ数をν５、
前記第６レンズのｄ線基準のアッベ数をν６とした場合、
４１．５＜｜ν５−ν６｜＜８０    （６）
で表される条件式（６）を満足する請求項１から４のいずれか１項に記載の内視鏡用対物光学系。
【請求項６】
−１．４＜｜ｆ２３｜／ｆＡ    （１−１）
で表される条件式（１−１）を満足する請求項１に記載の内視鏡用対物光学系。
【請求項７】
０．６＜ｄ３４／ｆ＜１    （２−１）
で表される条件式（２−１）を満足する請求項１に記載の内視鏡用対物光学系。
【請求項８】
０．９＜（１＋Ｒ２／Ｒ１）／（１−Ｒ２／Ｒ１）＜１．２    （３−１）
で表される条件式（３−１）を満足する請求項１に記載の内視鏡用対物光学系。
【請求項９】
ｆ１／ｆＡ＜０．５    （４−１）
で表される条件式（４−１）を満足する請求項３に記載の内視鏡用対物光学系。
【請求項１０】
｜ν２−ν３｜＜１０    （５−１）
で表される条件式（５−１）を満足する請求項４に記載の内視鏡用対物光学系。
【請求項１１】
｜ν２−ν３｜＜５    （５−２）
で表される条件式（５−２）を満足する請求項４に記載の内視鏡用対物光学系。
【請求項１２】
４３．５＜｜ν５−ν６｜＜７５    （６−１）
で表される条件式（６−１）を満足する請求項５に記載の内視鏡用対物光学系。
【請求項１３】
請求項１から１２のいずれか１項に記載の内視鏡用対物光学系を備えた内視鏡。
【発明の詳細な説明】
【技術分野】
【０００１】
本発明は、内視鏡用対物光学系、及び内視鏡に関する。
【背景技術】
【０００２】
従来、医療分野において患者の体内の観察、治療等を行うために内視鏡が用いられている。下記特許文献１〜８には、内視鏡用対物光学系として使用可能なレンズ系が記載されている。これらのレンズ系は、物体側から順に、負の屈折力を有する前群と、絞りと、正の屈折力を有する後群とから構成されている。
【先行技術文献】
【特許文献】
【０００３】
【特許文献１】特許第２５９６８２７号公報
【特許文献２】特開２００９−０８０４１３号公報
【特許文献３】特許第４２６５９０９号公報
【特許文献４】特開２０１１−２２７３８０号公報
【特許文献５】特許第４９９９０７８号公報
【特許文献６】特許第５３６３３５４号公報
【特許文献７】特許第５３２４３２１号公報
【特許文献８】特開２０１６−１５１６２９号公報
【発明の概要】
【発明が解決しようとする課題】
【０００４】
内視鏡用対物光学系においては、病変の発見率を向上させるため、より広範囲を観察可能な広角レンズ系であることが求められている。また、近年では内視鏡で撮像した画像を電気信号に変換して画像処理を行うことにより血管や表面構造等を強調させた画像を生成し、病変部を際立たせて観察することが行われている。このような観察では光源として白色光源に加え、波長が４００ｎｍ（ナノメートル）付近の短波長のレーザ光源が用いられることが多い。そのため、波長４００ｎｍ（ナノメートル）付近の短波長域から可視域までの全域において色収差が良好に補正された内視鏡用対物光学系が求められている。また、患者の負担を軽減するためにレンズ外径のさらなる小型化を進めた内視鏡用対物光学系が要望されている。
【０００５】
しかしながら、広角になるほど倍率色収差が大きくなりやすく、広角化と良好な色収差補正を両立させることは容易ではない。特許文献１〜６に記載された実施例のレンズ系は、近年要望されているほどの広角化が達成されているとは言えない。特許文献７に記載のレンズ系は、波長４００ｎｍ（ナノメートル）付近の短波長域も含めて考えると、この短波長域から可視域までの全域において軸上色収差と倍率色収差が良好に補正されているとは言えない。特許文献８に記載のレンズ系は、広角化、良好な色収差補正、及びレンズ外径の小型化の全ての事項について近年要望されている程度にまで達成されているわけではない。
【０００６】
上記事情に鑑み、本発明は、広角で、波長４００ｎｍ（ナノメートル）付近の短波長域から可視域までの全域において色収差が良好に補正され、レンズ外径の小型化が図られ、高い光学性能を有する内視鏡用対物光学系、及びこの内視鏡用対物光学系を備えた内視鏡を提供することを目的とする。
【課題を解決するための手段】
【０００７】
上記課題を解決するために、本発明の内視鏡用対物光学系は、物体側から像側へ向かって順に、負の屈折力を有する前群と、開口絞りと、正の屈折力を有する後群とからなり、前群は、物体側から像側へ向かって順に、負の屈折力を有する第１レンズと、負の屈折力を有する第２レンズと、正の屈折力を有する第３レンズとからなる３枚のレンズのみをレンズとして備え、後群は、物体側から像側へ向かって順に、正の屈折力を有する第４レンズと、正の屈折力を有する第５レンズと、負の屈折力を有する第６レンズとからなる３枚のレンズのみをレンズとして備え、第２レンズと第３レンズとは互いに接合されており、第５レンズと第６レンズとは互いに接合されており、第２レンズと第３レンズの合成焦点距離をｆ２３、前群の焦点距離をｆＡ、第３レンズの像側のレンズ面から第４レンズの物体側のレンズ面までの光軸上の空気換算距離をｄ３４、全系の焦点距離をｆ、第１レンズの像側のレンズ面の曲率半径をＲ２、第１レンズの物体側のレンズ面の曲率半径をＲ１とした場合、
−１．７＜｜ｆ２３｜／ｆＡ    （１）
０．４＜ｄ３４／ｆ＜２    （２）
０．８＜（１＋Ｒ２／Ｒ１）／（１−Ｒ２／Ｒ１）＜１．６    （３）
で表される条件式（１）、（２）、及び（３）を満足する。
【０００８】
本発明の内視鏡用対物光学系においては、下記条件式（１−１）、（２−１）、及び（３−１）のうちの少なくとも１つを満足することが好ましい。
−１．４＜｜ｆ２３｜／ｆＡ    （１−１）
０．６＜ｄ３４／ｆ＜１    （２−１）
０．９＜（１＋Ｒ２／Ｒ１）／（１−Ｒ２／Ｒ１）＜１．２    （３−１）
【０００９】
また、本発明の内視鏡用対物光学系においては、第１レンズの物体側のレンズ面が平面であることが好ましい。
【００１０】
また、本発明の内視鏡用対物光学系においては、第１レンズの焦点距離をｆ１、前群の焦点距離をｆＡとした場合、下記条件式（４）を満足することが好ましく、下記条件式（４−１）を満足することがより好ましい。
ｆ１／ｆＡ＜０．８    （４）
ｆ１／ｆＡ＜０．５    （４−１）
【００１１】
本発明の内視鏡用対物光学系においては、第２レンズのｄ線基準のアッベ数をν２、第３レンズのｄ線基準のアッベ数をν３とした場合、下記条件式（５）を満足することが好ましく、下記条件式（５−１）を満足することがより好ましく、下記条件式（５−２）を満足することがよりいっそう好ましい。
｜ν２−ν３｜＜１５    （５）
｜ν２−ν３｜＜１０    （５−１）
｜ν２−ν３｜＜５    （５−２）
【００１２】
本発明の内視鏡用対物光学系においては、第５レンズのｄ線基準のアッベ数をν５、第６レンズのｄ線基準のアッベ数をν６とした場合、下記条件式（６）を満足することが好ましく、下記条件式（６−１）を満足することがより好ましい。
４１．５＜｜ν５−ν６｜＜８０    （６）
４３．５＜｜ν５−ν６｜＜７５    （６−１）
【００１３】
本発明の内視鏡は、本発明の内視鏡用対物光学系を備えている。
【００１４】
なお、本明細書の「〜からなり」、「〜からなる」は、挙げられた構成要素以外に、実質的に屈折力を有さないレンズ、並びに、絞り、フィルタ、及びカバーガラス等のレンズ以外の光学要素、並びに、レンズフランジ、レンズバレル等が含まれていてもよいことを意図する。
【００１５】
なお、本明細書において、「正の屈折力を有する〜群」は、群全体として正の屈折力を有することを意味する。同様に「負の屈折力を有する〜群」は、群全体として負の屈折力を有することを意味する。「単レンズ」は、接合されていない１枚のレンズを意味する。ただし、複合非球面レンズ（球面レンズと、その球面レンズ上に形成された非球面形状の膜とが一体的に構成されて、全体として１つの非球面レンズとして機能するレンズ）は、接合レンズとは見なさず、１枚のレンズとして扱う。非球面を含むレンズについて、屈折力の符号、レンズ面の曲率半径、及びレンズ面の面形状は、特に断りが無い限り近軸領域で考えることとする。曲率半径の符号は、物体側に凸面を向けた形状の面の曲率半径の符号を正、像側に凸面を向けた形状の面の曲率半径の符号を負とする。「全系」は、「内視鏡用対物光学系」を意味する。条件式で用いている「焦点距離」は、近軸焦点距離である。条件式の値は、ｄ線を基準とした場合の値である。本明細書に記載の「ｄ線」、「Ｃ線」、「Ｆ線」、及び「ｈ線」は輝線であり、ｄ線の波長は５８７．５６ｎｍ（ナノメートル）、Ｃ線の波長は６５６．２７ｎｍ（ナノメートル）、Ｆ線の波長は４８６．１３ｎｍ（ナノメートル）、ｈ線の波長は４０４．６６ｎｍ（ナノメートル）である。
【発明の効果】
【００１６】
本発明によれば、広角で、波長４００ｎｍ（ナノメートル）付近の短波長域から可視域までの全域において色収差が良好に補正され、レンズ外径の小型化が図られ、高い光学性能を有する内視鏡用対物光学系、及びこの内視鏡用対物光学系を備えた内視鏡を提供することができる。
【図面の簡単な説明】
【００１７】
【図１】本発明の一実施形態に係る内視鏡用対物光学系（本発明の実施例１の内視鏡用対物光学系）の構成と光路を示す断面図である。
【図２】本発明の実施例２の内視鏡用対物光学系の構成と光路を示す断面図である。
【図３】本発明の実施例３の内視鏡用対物光学系の構成と光路を示す断面図である。
【図４】本発明の実施例１の内視鏡用対物光学系の各収差図である。
【図５】本発明の実施例２の内視鏡用対物光学系の各収差図である。
【図６】本発明の実施例３の内視鏡用対物光学系の各収差図である。
【図７】本発明の一実施形態に係る内視鏡の概略構成を示す図である。
【発明を実施するための形態】
【００１８】
以下、本発明の実施形態について図面を参照して詳細に説明する。図１は、本発明の一実施形態に係る内視鏡用対物光学系の光軸Ｚを含む断面における構成と光路を示す図であり、後述の実施例１のレンズ構成に対応している。図１では左側が物体側、右側が像側であり、光路は軸上光束２及び最大画角の光束３の各光路を示し、光束３の主光線の半画角ωも図示している。図１に示すωは最大全画角の半値に相当する。
【００１９】
本実施形態の内視鏡用対物光学系は、光軸Ｚに沿って物体側から像側へ向かって順に、負の屈折力を有する前群ＧＡと、開口絞りＳｔと、正の屈折力を有する後群ＧＢとからなる。物体側から順に、負レンズ群、正レンズ群を配置することによってレトロフォーカスタイプのレンズ系となり、バックフォーカスを確保できるとともに、内視鏡に要求される広い視野角に好適に対応可能な光学系となる。なお、図１に示す開口絞りＳｔは必ずしも大きさや形状を表すものではなく、光軸Ｚ上の位置を示すものである。
【００２０】
前群ＧＡは、物体側から像側へ向かって順に、負の屈折力を有する第１レンズＬ１と、負の屈折力を有する第２レンズＬ２と、正の屈折力を有する第３レンズＬ３とからなる３枚のレンズのみをレンズとして備える。第１レンズＬ１は単レンズである。第２レンズＬ２と第３レンズＬ３とは互いに接合されて第１の接合レンズＣＥ１を構成している。第１レンズＬ１によって歪曲収差と像面湾曲を抑えることができる。第１の接合レンズＣＥ１によって、軸上色収差と倍率色収差を抑えることができ、波長４００ｎｍ（ナノメートル）付近の短波長域から可視域までの全域において軸上色収差と倍率色収差を抑えることに有利となる。
【００２１】
第１レンズＬ１の物体側のレンズ面は平面であることが好ましく、このようにした場合は、第１レンズＬ１の外径を小さくすることができる。また、第１レンズＬ１の物体側のレンズ面を平面にした場合は、製造性を向上させることができ、また、第１レンズＬ１の物体側の面へのゴミ及び／又は液体等の付着を低減することができる。
【００２２】
なお、図１の例では、第１レンズＬ１と第２レンズＬ２の間に光学部材ＰＰ１が配置されている。光学部材ＰＰ１は、入射面と出射面が平行な屈折力を有しない部材であり、レンズではない。本発明においては光学部材ＰＰ１を省略した構成も可能である。なお、必要に応じ、光学部材ＰＰ１にフィルタ機能を持たせるように構成してもよい。
【００２３】
後群ＧＢは、物体側から像側へ向かって順に、正の屈折力を有する第４レンズＬ４と、正の屈折力を有する第５レンズＬ５と、負の屈折力を有する第６レンズＬ６とからなる３枚のレンズのみをレンズとして備える。第４レンズＬ４は単レンズである。第５レンズＬ５と第６レンズＬ６とは互いに接合されて第２の接合レンズＣＥ２を構成している。第４レンズＬ４によって球面収差を抑えることができる。第２の接合レンズＣＥ２によって、倍率色収差を抑えることができ、波長４００ｎｍ（ナノメートル）付近の短波長域から可視域までの全域において倍率色収差を抑えることに有利となる。
【００２４】
なお、図１の例では、第６レンズＬ６と像面Ｓｉｍの間に光学部材ＰＰ２が配置されている。光学部材ＰＰ２は、入射面と出射面が平行な屈折力を有しない部材であり、レンズではない。光学部材ＰＰ２は、プリズム、フィルタ、及び／又はカバーガラス等を想定したものである。なお、光学部材ＰＰ２に光路を折り曲げるプリズムを用いた場合は、光路は屈曲光路となるが、理解を容易にするために図１では光路を展開した図を示している。本発明においては光学部材ＰＰ２を省略した構成も可能である。
【００２５】
本実施形態の内視鏡用対物光学系は、第２レンズＬ２と第３レンズＬ３の合成焦点距離をｆ２３、前群ＧＡの焦点距離をｆＡとした場合、下記条件式（１）を満足する。ｆ２３は第１の接合レンズＣＥ１の焦点距離である。条件式（１）の下限以下とならないようにすることによって、歪曲収差と像面湾曲を良好に抑えることができる。さらに、下記条件式（１−１）を満足する構成とすれば、より良好な特性とすることができる。
−１．７＜｜ｆ２３｜／ｆＡ    （１）
−１．４＜｜ｆ２３｜／ｆＡ    （１−１）
なお、｜ｆ２３｜は絶対値であるので０≦｜ｆ２３｜であり、また、前群ＧＡは負の屈折力を有するのでｆＡ＜０であり、これらのことから｜ｆ２３｜／ｆＡ≦０である。
【００２６】
また、本実施形態の内視鏡用対物光学系は、第３レンズＬ３の像側のレンズ面から第４レンズＬ４の物体側のレンズ面までの光軸上の空気換算距離をｄ３４、全系の焦点距離をｆとした場合、下記条件式（２）を満足する。条件式（２）の下限以下とならないようにすることによって、非点収差と像面湾曲を良好に抑えることができる。条件式（２）の上限以上とならないようにすることによって、光学系の全長及び外径が大きくなるのを抑制することができる。さらに、下記条件式（２−１）を満足する構成とすれば、より良好な特性とすることができる。
０．４＜ｄ３４／ｆ＜２    （２）
０．６＜ｄ３４／ｆ＜１    （２−１）
【００２７】
また、本実施形態の内視鏡用対物光学系は、第１レンズＬ１の像側のレンズ面の曲率半径をＲ２、第１レンズＬ１の物体側のレンズ面の曲率半径をＲ１とした場合、下記条件式（３）を満足する。条件式（３）の下限以下とならないようにすることによって、歪曲収差を良好に抑えることができる。条件式（３）の上限以上とならないようにすることによって、第１レンズＬ１の外径を小さくすることができる。さらに、下記条件式（３−１）を満足する構成とすれば、より良好な特性とすることができ、下記条件式（３−２）を満足する構成とすれば、よりいっそう良好な特性とすることができる。
０．８＜（１＋Ｒ２／Ｒ１）／（１−Ｒ２／Ｒ１）＜１．６    （３）
０．９＜（１＋Ｒ２／Ｒ１）／（１−Ｒ２／Ｒ１）＜１．２    （３−１）
１≦（１＋Ｒ２／Ｒ１）／（１−Ｒ２／Ｒ１）＜１．２    （３−２）
【００２８】
さらに、本実施形態の内視鏡用対物光学系は、第１レンズＬ１の焦点距離をｆ１、前群ＧＡの焦点距離をｆＡとした場合、下記条件式（４）を満足することが好ましい。条件式（４）の上限以上とならないようにすることによって、歪曲収差と像面湾曲を良好に抑えることができる。さらに、下記条件式（４−１）を満足する構成とすれば、より良好な特性とすることができる。
ｆ１／ｆＡ＜０．８    （４）
ｆ１／ｆＡ＜０．５    （４−１）
なお、第１レンズＬ１は負の屈折力を有するレンズであるのでｆ１＜０であり、また、前群ＧＡは負の屈折力を有するのでｆＡ＜０であり、これらのことから０＜ｆ１／ｆＡである。
【００２９】
また、本実施形態の内視鏡用対物光学系は、第２レンズＬ２のｄ線基準のアッベ数をν２、第３レンズＬ３のｄ線基準のアッベ数をν３とした場合、下記条件式（５）を満足することが好ましい。本実施形態の内視鏡用対物光学系の構成において条件式（５）の上限以上とならないようにすることによって、波長４００ｎｍ（ナノメートル）付近の短波長域から可視域までの全域において軸上色収差と倍率色収差を抑えることに有利となる。また、条件式（５）の上限以上とならないようにすることによって、第１の接合レンズＣＥ１を構成する負レンズと正レンズの両方に高屈折率高分散材料を使用しやすくなる。これによって、第１の接合レンズＣＥ１中の正レンズの屈折力を強くできるため、第１の接合レンズＣＥ１に強い正の屈折力を持たせることが容易となり、第１レンズＬ１の外径を小さくすることが容易となる。さらに、下記条件式（５−１）を満足する構成とすれば、より良好な特性とすることができ、下記条件式（５−２）を満足する構成とすれば、よりいっそう良好な特性とすることができる。
｜ν２−ν３｜＜１５    （５）
｜ν２−ν３｜＜１０    （５−１）
｜ν２−ν３｜＜５    （５−２）
なお、｜ν２−ν３｜は絶対値であり、通常、接合レンズを構成する負レンズと正レンズのアッベ数は異ならせるため０＜｜ν２−ν３｜である。
【００３０】
また、本実施形態の内視鏡用対物光学系は、第５レンズＬ５のｄ線基準のアッベ数をν５、第６レンズＬ６のｄ線基準のアッベ数をν６とした場合、下記条件式（６）を満足することが好ましい。条件式（６）の下限以下とならないようにすることによって、波長４００ｎｍ（ナノメートル）付近の短波長域から可視域までの全域において倍率色収差を抑えることに有利となる。条件式（６）の上限以上とならないようにすることによって、倍率色収差の補正量が過剰になることを抑制でき、倍率色収差を最適に制御することができる。さらに、下記条件式（６−１）を満足する構成とすれば、より良好な特性とすることができる。
４１．５＜｜ν５−ν６｜＜８０    （６）
４３．５＜｜ν５−ν６｜＜７５    （６−１）
【００３１】
上述した好ましい構成及び可能な構成は、任意の組合せが可能であり、要求される仕様に応じて適宜選択的に採用されることが好ましい。本実施形態によれば、広角で、波長４００ｎｍ（ナノメートル）付近の短波長域から可視域までの全域において色収差が良好に補正され、レンズ外径の小型化が図られ、高い光学性能を有する内視鏡用対物光学系を実現することが可能である。なお、「レンズ外径の小型化」は、焦点距離で規格化されたレンズ系のレンズ外径を比較することにより確認可能である。また、ここでいう「広角」とは最大全画角が１５０度以上のことを意味する。
【００３２】
次に、本発明の内視鏡用対物光学系の数値実施例について説明する。なお、内視鏡の使用状況を考慮し、以下で説明する実施例の基本レンズデータと図４〜図６に示す収差図は、物体距離が１０ｍｍ（ミリメートル）、かつ物体面曲率半径が１０ｍｍ（ミリメートル）の物体を観察する場合のものを載せている。
［実施例１］
実施例１の内視鏡用対物光学系の構成と光路を示す断面図は図１に示されており、その図示方法は上述したとおりであるので、ここでは重複説明を一部省略する。実施例１の内視鏡用対物光学系は、物体側から像側へ向かって順に、負の屈折力を有する前群ＧＡと、開口絞りＳｔと、正の屈折力を有する後群ＧＢとからなる。前群ＧＡは、物体側から像側へ向かって順に、第１レンズＬ１と、第２レンズＬ２と、第３レンズＬ３とからなる３枚のレンズのみをレンズとして備える。第１レンズＬ１と第２レンズＬ２の間には光学部材ＰＰ１が配置されている。後群ＧＢは、物体側から像側へ向かって順に、第４レンズＬ４と、第５レンズＬ５と、第６レンズＬ６とからなる。第２レンズＬ２と第３レンズＬ３は互いに接合されて第１の接合レンズＣＥ１を構成している。第５レンズＬ５と第６レンズＬ６は互いに接合されて第２の接合レンズＣＥ２を構成している。以上が実施例１の内視鏡用対物光学系の概要である。
【００３３】
実施例１の内視鏡用対物光学系の基本レンズデータを表１に、諸元を表２に示す。表１において、Ｓｎの欄には最も物体側の面を第１面とし像側に向かうに従い１つずつ番号を増加させた場合の面番号を示し、Ｒの欄には各面の曲率半径を示し、Ｄの欄には各面とその像側に隣接する面との光軸上の面間隔を示す。また、Ｎｄの欄には各構成要素のｄ線に対する屈折率を示し、νｄの欄には各構成要素のｄ線基準のアッベ数を示す。
【００３４】
表１では、物体側に凸面を向けた形状の面の曲率半径の符号を正、像側に凸面を向けた形状の面の曲率半径の符号を負としている。表１には開口絞りＳｔ、光学部材ＰＰ１、及び光学部材ＰＰ２も合わせて示している。表１では、開口絞りＳｔに相当する面の面番号の欄には面番号と（Ｓｔ）という語句を記載している。表１のＤの最下欄の値は表中の最も像側の面と像面Ｓｉｍとの間隔である。
【００３５】
表２に、全系の焦点距離ｆ、空気換算距離での全系のバックフォーカスＢｆ、ＦナンバーＦＮｏ．、及び最大全画角２ωの値をｄ線基準で示す。２ωの欄の（°）は単位が度であることを意味する。
【００３６】
各表のデータにおいて、角度の単位としては度を用い、長さの単位としてはｍｍ（ミリメートル）を用いているが、光学系は比例拡大又は比例縮小しても使用可能なため他の適当な単位を用いることもできる。また、以下に示す各表では所定の桁でまるめた数値を記載している。
【００３７】
【表１】
2019109356.tif 000003
【００３８】
【表２】
2019109356.tif 000004
【００３９】
図４に、実施例１の内視鏡用対物光学系の各収差図を示す。図４では左から順に、球面収差、非点収差、歪曲収差、及び倍率色収差を示す。球面収差図では、ｄ線、Ｃ線、Ｆ線、及びｈ線における収差をそれぞれ黒の実線、長破線、短破線、及び二点鎖線で示す。非点収差図では、サジタル方向のｄ線における収差を実線で示し、タンジェンシャル方向のｄ線における収差を短破線で示す。歪曲収差図ではｄ線における収差を実線で示す。倍率色収差図では、Ｃ線、Ｆ線、及びｈ線における収差をそれぞれ長破線、短破線、及び二点鎖線で示す。球面収差図のＦＮｏ．はＦナンバーを意味し、その他の収差図のωは半画角を意味する。
【００４０】
上記の実施例１に関する各データの記号、意味、記載方法、及び図示方法は、特に断りが無い限り以下の実施例においても同様であるので、以下では重複説明を省略する。
【００４１】
［実施例２］
実施例２の内視鏡用対物光学系について、構成と光路の断面図を図２に示し、基本レンズデータを表３に示し、諸元を表４に示し、各収差図を図５に示す。
【００４２】
【表３】
2019109356.tif 000005
【００４３】
【表４】
2019109356.tif 000006
【００４４】
［実施例３］
実施例３の内視鏡用対物光学系について、構成と光路の断面図を図３に示し、基本レンズデータを表５に示し、諸元を表６に示し、各収差図を図６に示す。
【００４５】
【表５】
2019109356.tif 000007
【００４６】
【表６】
2019109356.tif 000008
【００４７】
表７に実施例１〜３の内視鏡用対物光学系の条件式（１）〜（６）の対応値を示す。実施例１〜３はｄ線を基準波長としている。表７にはｄ線基準での値を示す。
【００４８】
【表７】
2019109356.tif 000009
【００４９】
以上のデータからわかるように、実施例１〜３の内視鏡用対物光学系は、最大全画角が１５０度以上あり広角に構成され、波長４００ｎｍ（ナノメートル）付近の短波長域から可視域までの全域において色収差が良好に補正され、また、その他の諸収差も良好に補正され、さらにレンズ外径の小型化が図られ、高い光学性能を実現している。
【００５０】
次に、本発明の実施形態に係る内視鏡について説明する。図７に本発明の一実施形態に係る内視鏡の概略的な全体構成図を示す。図７に示す内視鏡１００は、主として、操作部１０２と、挿入部１０４と、コネクタ部（不図示）と接続されるユニバーサルコード１０６とを備える。挿入部１０４の大半は挿入経路に沿って任意の方向に曲がる軟性部１０７であり、この軟性部１０７の先端には湾曲部１０８が連結され、この湾曲部１０８の先端には先端部１１０が連結されている。湾曲部１０８は、先端部１１０を所望の方向に向けるために設けられるものであり、操作部１０２に設けられた湾曲操作ノブ１０９を回動させることにより湾曲操作が可能となっている。先端部１１０の内部先端に本発明の実施形態に係る内視鏡用対物光学系１が配設される。図７では内視鏡用対物光学系１を概略的に図示している。
【００５１】
本実施形態の内視鏡は、本発明の実施形態に係る内視鏡用対物光学系を備えているため、挿入部１０４の細径化を図ることでき、広い視野で観察が可能である。また、波長４００ｎｍ（ナノメートル）付近の短波長域から可視域までの全域において良好な画像を取得することができるので、白色光と波長４００ｎｍ（ナノメートル）付近のレーザ光の使用と画像処理を組み合わせて得られる血管や表面構造等を強調させた画像の観察に好適に適用可能である。
【００５２】
以上、実施形態及び実施例を挙げて本発明を説明したが、本発明は上記実施形態及び実施例に限定されず、種々の変形が可能である。例えば、各レンズの曲率半径、面間隔、屈折率、アッベ数は、上記各数値実施例で示した値に限定されず、他の値をとり得る。
【符号の説明】
【００５３】
１  内視鏡用対物光学系
２  軸上光束
３  最大画角の光束
１００  内視鏡
１０２  操作部
１０４  挿入部
１０６  ユニバーサルコード
１０７  軟性部
１０８  湾曲部
１０９  湾曲操作ノブ
１１０  先端部
Ｌ１  第１レンズ
Ｌ２  第２レンズ
Ｌ３  第３レンズ
Ｌ４  第４レンズ
Ｌ５  第５レンズ
Ｌ６  第６レンズ
ＣＥ１  第１の接合レンズ
ＣＥ２  第２の接合レンズ
ＧＡ  前群
ＧＢ  後群
ＰＰ１、ＰＰ２  光学部材
Ｓｉｍ  像面
Ｓｔ  開口絞り
Ｚ  光軸
ω  半画角
【図１】
2019109356.tif 000010
【図２】
2019109356.tif 000011
【図３】
2019109356.tif 000012
【図４】
2019109356.tif 000013
【図５】
2019109356.tif 000014
【図６】
2019109356.tif 000015
【図７】
2019109356.tif 000016